(57)【要約】  本発明は、表示技術分野に関し、特に、ゲート駆動回路及びアレイ基板に関し、ゲート駆動回路及びアレイ基板を提供し、表示技術分野に関し、あるゲート駆動ユニットのクロック信号の入力通路に短絡等の故障が生じる場合、他のゲート駆動ユニットの通常作業を確保できる。該ゲート駆動回路は、複数のゲート駆動ユニット群を備え、各ゲート駆動ユニット群がｍ個のゲート駆動ユニットを有し、 ｍが１を超える整数であり、各ゲート駆動ユニット群が同じゲートラインにゲート駆動信号を出力し、前記ゲート駆動ユニット群のうち１つのゲート駆動ユニットが故障する場合、前記故障するゲート駆動ユニットの作業を停止して他のゲート駆動ユニットで前記ゲート駆動ユニット群の作業を維持する。
2016524175.tif 000002
【特許請求の範囲】
【請求項１】
ゲート駆動回路であって、複数のゲート駆動ユニット群を備え、各前記ゲート駆動ユニット群がｍ個のゲート駆動ユニットを有し、前記ｍが１を超える整数であり、各前記ゲート駆動ユニット群が同じゲートラインにゲート駆動信号を出力し、前記ゲート駆動ユニット群のうち１つのゲート駆動ユニットが故障する場合、前記故障するゲート駆動ユニットの作業を停止して他のゲート駆動ユニットで前記ゲート駆動ユニット群の作業を維持することを特徴とするゲート駆動回路。
【請求項２】
前記ｍが２以上で５以下の整数であることを特徴とする請求項１に記載のゲート駆動回路。
【請求項３】
各前記ゲート駆動ユニットは、ゲート駆動モジュール、検出モジュール及び制御モジュールを備え、前記ゲート駆動モジュールは、第１のクロック信号に接続される第１の入力ポートと、前記第１のクロック信号と反転する第２のクロック信号に接続される第２の入力ポートとを有し、
前記検出モジュールは、前記ゲート駆動モジュールの第１の入力ポートと第２の入力ポートとの間の短絡を検出した場合、前記制御モジュールに短絡信号を送信し、前記制御モジュールは、前記短絡信号により、前記ゲート駆動モジュールの第１の入力ポートと第１のクロック信号との接続、及び前記ゲート駆動モジュールの第２の入力ポートと第２のクロック信号との接続をカットオフすることを特徴とする請求項１又は２に記載のゲート駆動回路。
【請求項４】
前記検出モジュールは、減法サブモジュール及び絶対値取得サブモジュールを備え、
前記減法サブモジュールは、前記ゲート駆動モジュールの第１の入力ポートに接続される第１の入力ポートと、前記ゲート駆動モジュールの第２の入力ポートに接続される第２の入力ポートと、を備え、前記ゲート駆動モジュールの第１の入力ポート及び第２の入力ポートの入力信号の差値を計算し、出力端子が前記絶対値取得サブモジュールに接続され、前記絶対値取得サブモジュールに差値信号を出力し、
前記絶対値取得サブモジュールは、出力端子が前記制御モジュールに接続され、受信した前記差値信号の絶対値を取得し、前記絶対値が所定値より小さい場合、前記制御モジュールに短絡信号を送信することを特徴とする請求項３に記載のゲート駆動回路。
【請求項５】
前記減法サブモジュールは、
第１の端子が前記減法サブモジュールの第１の入力ポートに接続され、第２の端子が前記第１の演算増幅器の反転入力端子に接続される第１の電気抵抗と、
第１の端子が前記減法サブモジュールの第２の入力ポートに接続され、第２の端子が前記第１の演算増幅器の非反転入力端子に接続される第２の電気抵抗と、
第１の端子が前記第１の演算増幅器の反転入力端子に接続され、第２の端子が前記第１の演算増幅器の出力端子に接続される第３の電気抵抗と、
第１の端子が前記第１の演算増幅器の反転入力端子に接続され、第２の端子が接地される第４の電気抵抗と、
出力端子が前記減法サブモジュールの出力端子に接続される第１の演算増幅器と、を備え、
前記第１の電気抵抗の抵抗値と前記第２の電気抵抗の抵抗値とが等しく、前記第３の電気抵抗の抵抗値と前記第４の電気抵抗の抵抗値とが等しいことを特徴とする請求項４に記載のゲート駆動回路。
【請求項６】
前記絶対値取得サブモジュールは、
入力端子が前記絶対値取得サブモジュールの入力端子に接続され、出力端子が前記絶対値取得サブモジュールの出力端子に接続される第１のダイオードと、
第１の端子が前記絶対値取得サブモジュールの入力端子に接続され、第２の端子が第２の演算増幅器の反転入力端子に接続される第５の電気抵抗と、
第１の端子が前記第２の演算増幅器の反転入力端子に接続され、第２の端子が前記絶対値取得サブモジュールの出力端子に接続される第６の電気抵抗と、
非反転入力端子が接地され、出力端子が前記絶対値取得サブモジュールの出力端子に接続される第２の演算増幅器と、を備え、
前記第５の電気抵抗の抵抗値と前記第６の電気抵抗の抵抗値とが等しいことを特徴とする請求項５に記載のゲート駆動回路。
【請求項７】
前記制御モジュールは、第１のスイッチングトランジスタ及び第２のスイッチングトランジスタを備え、
前記第１のスイッチングトランジスタ及び前記第２のスイッチングトランジスタのゲート電極は、前記絶対値取得サブモジュールの出力端子に接続され、
前記第１のスイッチングトランジスタは、第１の端子が前記第１のクロック信号に接続され、第２の端子が前記ゲート駆動モジュールの第１の信号入力端子に接続され、
前記第２のスイッチングトランジスタは、第１の端子が前記第２のクロック信号に接続され、第２の端子が前記ゲート駆動モジュールの第２の信号入力端子に接続されることを特徴とする請求項６に記載のゲート駆動回路。
【請求項８】
前記第１のスイッチングトランジスタ及び前記第２のスイッチングトランジスタは、薄膜トランジスタであることを特徴とする請求項７に記載のゲート駆動回路。
【請求項９】
前記第１のスイッチングトランジスタ及び前記第２のスイッチングトランジスタはＮ型薄膜トランジスタであることを特徴とする請求項７に記載のゲート駆動回路。
【請求項１０】
請求項１〜８の何れか１項に記載のゲート駆動回路を備えることを特徴とするアレイ基板。
【発明の詳細な説明】
【技術分野】
【０００１】
本発明は、表示技術分野に関し、特に、ゲート駆動回路及びアレイ基板に関する。
【背景技術】
【０００２】
近年では、液晶ディスプレイは、集積度がますます高く、コストがますます低くなっている。非常に重要な技術として、アレイ基板の行駆動(Ｇａｔｅ Ｄｒｉｖｅｒ ｏｎ Ａｒｒａｙ、ＧＯＡと略称する)技術による大量生産が実現された。ＧＯＡ技術でゲート駆動回路を液晶ディスプレイパネルのアレイ基板に集積することによって、従来の集積されたゲート駆動回路が省け、材料コスト及び製造工程の両方から製品のコストが低下される。このようなＧＯＡ技術によってアレイ基板上に集積されるゲート駆動回路は、ＧＯＡ回路とも称される。
【発明の概要】
【発明が解決しようとする課題】
【０００３】
従来技術では、ＧＯＡ回路は、若干のＧＯＡユニットを有する。各ＧＯＡユニットには１対の反転のクロック信号が入力され、１つのゲートラインに、対応して駆動するゲートライン信号を出力する。具体的には、各ＧＯＡユニットは、出力端子が１つのゲートラインに接続される。発明者は、ＧＯＡユニットは同時に１対の反転のクロック信号が入力されるため、この１対の反転のクロック信号の入力通路が一般的に接近してひいては重なり合い、電気容量に類似するとともに、この１対の反転のクロック信号の間の電圧差が２０ボルトまで達するため、高圧によって反転のクロック信号の入力通路の間に形成される類似の電気容量が容易にブレークダウンされ、反転のクロック信号の入力通路を短絡させ、この短絡になるＧＯＡユニットの作業が異常になり、全てのＧＯＡユニットの作業も異常になる可能性があり、液晶ディスプレイ内部の集積回路の作業が異常になってしまう可能性もある。
【課題を解決するための手段】
【０００４】
本発明の解決しようとする技術問題は、あるゲート駆動ユニットのクロック信号の入力通路に短絡等の故障が生じる場合でも、他のゲート駆動ユニットを通常に作業することができるゲート駆動回路及びアレイ基板を提供することにある。
【０００５】
本発明の実施例は、上述した技術的課題を解決するように、以下の技術方案を採用する。
本発明の実施例の一方面は、複数のゲート駆動ユニット群を備え、各前記ゲート駆動ユニット群がｍ個のゲート駆動ユニットを有し、前記ｍが１を超える整数であり、各前記ゲート駆動ユニット群が同じゲートラインにゲート駆動信号を出力し、前記ゲート駆動ユニット群のうち１つのゲート駆動ユニットが故障する場合、前記故障するゲート駆動ユニットの作業を停止して他のゲート駆動ユニットで前記ゲート駆動ユニット群の作業を維持するゲート駆動回路を提供する。
前記ｍは、２以上で５以下の整数である。
【０００６】
各前記ゲート駆動ユニットは、ゲート駆動モジュール、検出モジュール及び制御モジュールを備え、前記ゲート駆動モジュールは、第１のクロック信号に接続される第１の入力ポートと、前記第１のクロック信号と反転する第２のクロック信号に接続される第２の入力ポートと、を有する。
【０００７】
前記検出モジュールは、前記ゲート駆動モジュールの第１の入力ポートと前記ゲート駆動モジュールの第２の入力ポートとの間の短絡を検出したとき、前記制御モジュールに短絡信号を送信し、前記制御モジュールは、前記短絡信号により、前記ゲート駆動モジュールの第１の入力ポートと第１のクロック信号との接続、及び前記ゲート駆動モジュールの第２の入力ポートと第２のクロック信号との接続をカットオフする。
【０００８】
前記検出モジュールは、減法サブモジュール及び絶対値取得サブモジュールを備える。
【０００９】
前記減法サブモジュールは、前記ゲート駆動モジュールの第１の入力ポートに接続される第１の入力ポートと、前記ゲート駆動モジュールの第２の入力ポートに接続される第２の入力ポートと、を備え、前記ゲート駆動モジュールの第１の入力ポート及び第２の入力ポートの入力信号の差値を計算し、出力端子が前記絶対値取得サブモジュールに接続されて、前記絶対値取得サブモジュールに差値信号を出力する。
【００１０】
前記絶対値取得サブモジュールは、出力端子が前記制御モジュールに接続され、受信した前記差値信号の絶対値を取得し、前記絶対値が所定値より小さい場合、前記制御モジュールへ短絡信号を送信する。
【００１１】
前記減法サブモジュールは、
第１の端子が前記減法サブモジュールの第１の入力ポートに接続され、第２の端子が前記第１の演算増幅器の反転入力端子に接続される第１の電気抵抗と、
第１の端子が前記減法サブモジュールの第２の入力ポートに接続され、第２の端子が前記第１の演算増幅器の非反転入力端子に接続される第２の電気抵抗と、
第１の端子が前記第１の演算増幅器の反転入力端子に接続され、第２の端子が前記第１の演算増幅器の出力端子に接続される第３の電気抵抗と、
第１の端子が前記第１の演算増幅器の反転入力端子に接続され、第２の端子が接地される第４の電気抵抗と、
反転入力端子が前記第１の電気抵抗の第２の端子に接続され、非反転入力端子が前記第２の電気抵抗の第２の端子に接続され、出力端子が前記減法サブモジュールの出力端子に接続される第１の演算増幅器と、を備え、
前記第１の電気抵抗の抵抗値と前記第２の電気抵抗の抵抗値とが等しく、前記第３の電気抵抗の抵抗値と前記第４の電気抵抗の抵抗値とが等しい。
【００１２】
前記絶対値取得サブモジュールは、
入力端子が前記絶対値取得サブモジュールの入力端子に接続され、出力端子が前記絶対値取得サブモジュールの出力端子に接続される第１のダイオードと、
第１の端子が前記絶対値取得サブモジュールの入力端子に接続され、第２の端子が第２の演算増幅器の反転入力端子に接続される第５の電気抵抗と、
第１の端子が前記第２の演算増幅器の反転入力端子に接続され、第２の端子が前記絶対値取得サブモジュールの出力端子に接続される第６の電気抵抗と、
反転入力端子が前記第５の電気抵抗の第２の端子に接続され、非反転入力端子が接地され、出力端子が前記絶対値取得サブモジュールの出力端子に接続される前記第２の演算増幅器と、を備え、
前記第５の電気抵抗の抵抗値と前記第６の電気抵抗の抵抗値とが等しい。
【００１３】
前記制御モジュールは、第１のスイッチングトランジスタ及び第２のスイッチングトランジスタを備え、
前記第１のスイッチングトランジスタ及び前記第２のスイッチングトランジスタのゲート電極が前記絶対値取得サブモジュールの出力端子に接続され、
前記第１のスイッチングトランジスタは、第１の端子が前記第１のクロック信号に接続され、第２の端子が前記ゲート駆動モジュールの第１の信号入力端子に接続され、
前記第２のスイッチングトランジスタは、第１の端子が前記第２のクロック信号に接続され、第２の端子が前記ゲート駆動モジュールの第２の信号入力端子に接続される。
【００１４】
前記第１のスイッチングトランジスタ及び前記第２のスイッチングトランジスタは薄膜トランジスタである。
【００１５】
本発明の実施例の第二方面は、上述したゲート駆動回路を備えるアレイ基板を提供する。
【００１６】
本発明の実施例の技術方案では、前記ゲート駆動回路は複数のゲート駆動ユニット群を有し、各前記ゲート駆動ユニット群はｍ個のゲート駆動ユニットを有し、前記ｍが１を超える整数であり、前記ゲート駆動ユニット群のうち１つのゲート駆動ユニットが故障する場合、前記故障するゲート駆動ユニットの作業を停止する。故障するゲート駆動ユニットが停止された後、各前記ゲート駆動ユニット群が少なくとも２つのゲート駆動ユニットを有するとともに、各ゲート駆動ユニットが同じゲートラインにゲート駆動信号を出力するため、ゲートラインの通常作業が確保され、該ゲート駆動回路の作業の信頼性が向上され、ユーザ体験が向上される。
【００１７】
以下、本発明の実施例の技術案又は従来技術の技術案をさらに明確に説明するため、実施例または従来技術に係る図面を簡単に説明する。なお、以下の図面は本発明の実施例に関するものに過ぎず、当業者にとって、創造的な労働をしない前提で、これらの図面に基づき他の図面をさらに得ることができることは当然である。
【図面の簡単な説明】
【００１８】
【図１】本発明の実施例に係るゲート駆動回路の構造概略図である。
【図２】本発明の実施例に係るゲート駆動ユニット１ｍの構造概略図の一である。
【図３】本発明の実施例に係る検出モジュールの構造概略図である。
【図４】本発明の実施例に係る減法サブモジュールの構造概略図である。
【図５】本発明の実施例に係る絶対値取得サブモジュールの構造概略図である。
【図６】本発明の実施例に係るゲート駆動ユニット１ｍの構造概略図の二である。
【図７】本発明の実施例に係るゲート駆動モジュールの第１の信号入力端子ａ及び第２の信号入力端子ｂが短絡する前に受信する信号の概略図である。
【図８】本発明の実施例に係るゲート駆動モジュールの第１の信号入力端子ａ及び第２の信号入力端子ｂが短絡した後に受信する信号の概略図である。
【発明を実施するための形態】
【００１９】
以下、本発明の実施例の図面を参照しながら、本発明の実施例の技術案を明確に完全に説明する。下記の実施例は、当然ながら、本発明の実施例の一部であり、全ての実施例ではない。本発明の実施例に基づき、当業者が創造的労働をしない前提で得られる全ての他の実施例は、いずれも本発明の保護範囲に入る。
【００２０】
本発明の実施例は、ゲート駆動回路であって、図１に示すように、複数のゲート駆動ユニット群を備え、各前記ゲート駆動ユニット群がｍ個のゲート駆動ユニットを有し、前記ｍが１を超える整数であり、前記複数のゲート駆動ユニット群がゲートの個数に対応し、各前記ゲート駆動ユニット群が同じゲートラインにゲート駆動信号を出力し、前記ゲート駆動ユニット群のうち１つのゲート駆動ユニットが故障する場合、前記故障するゲート駆動ユニットの作業を停止し、他のゲート駆動ユニットで前記ゲート駆動ユニット群の作業を維持する。
【００２１】
前記ｍが２以上で５以下の整数であることが好ましい。ｍが２未満である場合、本発明の実施例に記載の機能を実現できない。ｍが５を超える整数である場合、本発明の実施例の機能を実現することができるが、加工工程及び配線の複雑さが著しく増大する。
【００２２】
図１及び上記記載から分かるように、いずれかのゲートラインが受信したゲート駆動信号は、同じ群の各ゲート駆動ユニットにより共通に提供されるため、いずれかのゲート駆動ユニットが故障によって作業が停止された後、他のゲート駆動ユニットが依然に続いて通常に作業することができるとともに、同じ群におけるゲート駆動ユニットが同時に短絡する等の故障が生じる可能性が低いため、ゲートラインが続いて通常のゲート駆動信号を受信することができる。該ゲート駆動回路の作業の信頼性が向上され、ユーザ体験が向上された。
【００２３】
本実施例の技術案では、前記ゲート駆動回路は、複数のゲート駆動ユニット群を備え、各前記ゲート駆動ユニット群は、ｍ個のゲート駆動ユニットを有し、前記ｍが１以上の整数であり、前記ゲート駆動ユニット群のうち１つのゲート駆動ユニットが故障する場合、前記故障するゲート駆動ユニットの作業を停止する。そうすると、故障するゲート駆動ユニットが停止された後、各前記ゲート駆動ユニット群が少なくとも２つのゲート駆動ユニットを有するとともに、各ゲート駆動ユニットが同じゲートラインにゲート駆動信号を出力するため、ゲートラインの通常作業が確保され、該ゲート駆動回路の作業の信頼性が向上され、ユーザ体験が向上された。
【００２４】
具体的には、いずれのゲート駆動ユニットの構造も同じであるため、図１における第１のゲート駆動ユニット群におけるゲート駆動ユニット１ｍを例として説明する。図２に示すように、前記ゲート駆動ユニット１ｍは、ゲート駆動モジュール、検出モジュール及び制御モジュールを備え、前記ゲート駆動モジュールは、前記ゲート駆動モジュールが第１のクロック信号ＣＬＫに接続されるようにする第１の入力ポートａと、前記ゲート駆動モジュールが前記第１のクロック信号ＣＬＫと反転である第２のクロック信号ＣＬＫＢに接続されるようにする第２の入力ポートｂと、を有する。前記検出モジュールは、前記ゲート駆動モジュールの第１の入力ポートａと第２の入力ポートｂとの間が短絡するか否かを検出する。前記制御モジュールは、前記ゲート駆動モジュールに入力される信号を制御する。具体的には、前記検出モジュールは、前記ゲート駆動モジュールの第１の入力ポートａと前記ゲート駆動モジュールの第２の入力ポートｂとの間の短絡を検出した場合、前記制御モジュールに短絡信号を送信し、前記制御モジュールは、前記短絡信号により、前記ゲート駆動モジュールの第１の入力ポートａと第１のクロック信号ＣＬＫとの接続、及び前記ゲート駆動モジュールの第２の入力ポートｂと第２のクロック信号ＣＬＫＢとの接続をカットする。
【００２５】
さらに、本実施例の技術案では、図３に示すように、前記検出モジュールは、具体的には、減法サブモジュール及び絶対値取得サブモジュールを備える。
【００２６】
具体的には、前記減法サブモジュールは、第１の入力ポートｃ（検出モジュールの第１の入力ポートｃ）及び第２の入力ポートｄ（検出モジュールの第１の入力ポートｄ）を備える。図２を参照するように、前記減法サブモジュールは、第１の入力ポートｃがゲート駆動ユニットの第１の入力ポートａに接続され、第２の入力ポートｄがゲート駆動ユニットの第２の入力ポートｂに接続されて、前記ゲート駆動モジュールの第１の入力ポートａと前記ゲート駆動モジュールの第２の入力ポートｂとの入力信号の差を計算し、出力端子が前記絶対値取得サブモジュールに接続されて、前記絶対値取得サブモジュールに差値信号を出力する。
【００２７】
前記絶対値取得サブモジュールは、出力端子（即ち、図２における検出モジュールの出力端子ｇ）が前記制御モジュールに接続され、受信した前記差値信号の絶対値を取得し、前記絶対値が所定値より小さい場合、前記制御モジュールに短絡信号を送信する。
【００２８】
さらに、本発明の実施例では、図４に示すように、前記減法サブモジュールは、
第１の電気抵抗Ｒ１、第２の電気抵抗Ｒ２、第３の電気抵抗Ｒ３、第４の電気抵抗Ｒ４及び第１の演算増幅器を備え、
前記第１の電気抵抗Ｒ１は、第１の端子が前記減法サブモジュールの第１の入力ポートｃに接続され、第２の端子が前記第１の演算増幅器の反転入力端子に接続され、
前記第２の電気抵抗Ｒ２は、第１の端子が前記減法サブモジュールの第２の入力ポートｄに接続され、第２の端子が前記第１の演算増幅器の非反転入力端子に接続され、
前記第３の電気抵抗Ｒ３は、第１の端子が前記第１の演算増幅器の反転入力端子に接続され、第２の端子が前記第１の演算増幅器の出力端子に接続され、
前記第４の電気抵抗Ｒ４は、第１の端子が前記第１の演算増幅器の反転入力端子に接続され、第２の端子が接地される。
前記第１の電気抵抗Ｒ１の抵抗値と前記第２の電気抵抗Ｒ２の抵抗値とが等しく、前記第３の電気抵抗Ｒ３の抵抗値と前記第４の電気抵抗Ｒ４の抵抗値とが等しい。
【００２９】
Ｒ１＝Ｒ２、Ｒ３＝Ｒ４であるため、図４から分かるように、減法サブモジュールが出力する差値信号Ｕ１の値は、
【００３０】
【数１】
2016524175.tif 000003
【００３１】
である。
【００３２】
図５に示すように、前記絶対値取得サブモジュールは、
入力端子が前記絶対値取得サブモジュールの入力端子に接続され、出力端子が前記絶対値取得サブモジュールの出力端子ｇに接続される第１のダイオードＤ１と、
第１の端子が前記絶対値取得サブモジュールの入力端子に接続され、第２の端子が第２の演算増幅器の反転入力端子に接続される第５の電気抵抗Ｒ５と、
第１の端子が前記第２の演算増幅器の反転入力端子に接続され、第２の端子が前記絶対値取得サブモジュールの出力端子に接続される第６の電気抵抗Ｒ６と、
反転入力端子が前記第５の電気抵抗Ｒ５の第２の端子に接続され、非反転入力端子が接地され、出力端子が前記絶対値取得サブモジュールの出力端子に接続される第２の演算増幅器と、を備える。
前記第５の電気抵抗Ｒ５の抵抗値と前記第６の電気抵抗Ｒ６の抵抗値とが等しい。
【００３３】
図５を参照するように、絶対値取得サブモジュールによる減法サブモジュールが出力する差値信号Ｕ１に対する処理は、
Ｕ１＞０のとき、Ｄ１が導通され、Ｕ２＝Ｕ１であり、
Ｕ１＜０のとき、Ｄ１がカットオフされ、Ｕ１が第２の演算増幅器を介して、Ｒ５＝Ｒ６のため、
【００３４】
【数２】
2016524175.tif 000004
【００３５】
である。
そして、図６に示すように、前記絶対値取得サブモジュールは、Ｕ２を出力端子ｇから制御モジュールに送信する。
【００３６】
さらに、本発明の具体的な実施形態では、図６に示すように、前記制御モジュールは、第１のスイッチングトランジスタＴ１及び第２のスイッチングトランジスタＴ２を備え、
前記第１のスイッチングトランジスタＴ１及び前記第２のスイッチングトランジスタＴ２のゲート電極は、前記絶対値取得サブモジュールの出力端子ｇに接続され、
前記第１のスイッチングトランジスタＴ１は、第１の端子が前記第１のクロック信号ＣＬＫに接続され、第２の端子が前記ゲート駆動モジュールの第１の信号入力端子ａに接続され、
前記第２のスイッチングトランジスタＴ２は、第１の端子が前記第２のクロック信号ＣＬＫＢに接続され、第２の端子が前記ゲート駆動モジュールの第２の信号入力端子ｂに接続される。
【００３７】
図７に示すように、該ゲート駆動ユニットの第１の信号入力端子ａと第２の信号入力端子ｂとの間が短絡しない場合、第１の信号入力端子ａが受信した信号が第１のクロック信号ＣＬＫであり、第２の信号入力端子が受信した信号が第２のクロック信号ＣＬＫＢである。第１のクロック信号ＣＬＫ及び第２のクロック信号ＣＬＫＢは、ハイレベルの電圧がともに約１２ボルト〜１５ボルトであり、ローレベルの電圧がともに約−８ボルト〜−１２ボルトである。このようにして、第１のクロック信号ＣＬＫと第２のクロック信号ＣＬＫＢとの間の電圧差は、常に２０以上のボルトである。前述分析から分かるように、
【００３８】
【数３】
2016524175.tif 000005
【００３９】
は、Ｕ１＞０のとき、Ｕ２＝Ｕ１であり、Ｕ１＜０のとき、Ｕ２＝−Ｕ１である。このときのＵ２の電圧値は、制御モジュールの第１のスイッチングトランジスタＴ１及び第２のスイッチングトランジスタＴ２に導通状態を維持させることができ、該ゲート駆動モジュールは、第１のクロック信号ＣＬＫ及び第２のクロック信号ＣＬＫＢを受信することができ、通常に作業することができる。
【００４０】
該ゲート駆動ユニットの第１の信号入力端子ａと第２の信号入力端子ｂとが短絡する場合、図８に示すように、第１の信号入力端子ａは、第１のクロック信号ＣＬＫ及び第２のクロック信号ＣＬＫＢを同時に受信するため、受信した信号のレベルが０に接近するほどに小さい。同じように、第２のクロック信号の入力端子ｂが受信する信号のレベルも小さい。これによって、第１の信号入力端子ａ及び第２の信号入力端子ｂがそれぞれ受信するレベルの差値は小さく、十分に制御モジュールにおける第１のスイッチングトランジスタＴ１及び第２のスイッチングトランジスタＴ２の導通状態を維持することができず、制御モジュールの第１のスイッチングトランジスタＴ１及び第２のスイッチングトランジスタＴ２がカットされ、該ゲート駆動ユニットを第１のクロック信号ＣＬＫ及び第２のクロック信号ＣＬＫＢとカットさせ、この短絡するゲート駆動ユニットが他のゲート駆動ユニットに影響することなく、該ゲート駆動回路が通常に作業することができる。
【００４１】
前記第１のスイッチングトランジスタＴ１及び前記第２のスイッチングトランジスタＴ２は薄膜トランジスタであることが好ましい。
【００４２】
本発明の実施例では、前記第１のスイッチングトランジスタＴ１及び前記第２のスイッチングトランジスタＴ２は、Ｎ型薄膜トランジスタであることが好ましい。
【００４３】
ここで、説明の便宜のために、本発明の実施例では、１対のクロック信号ＣＬＫ及びＣＬＫＢのみ具備するが、本発明は、複数対のクロック信号を有するゲート駆動回路にも適用できる。具体的な実施例は、上記と類似するため、説明を省略する。
【００４４】
本発明の実施例は、上述したゲート駆動回路を備えるアレイ基板をさらに提供する。
【００４５】
以上は、本発明の具体的な実施例に過ぎず、本発明の保護範囲はそれに限らない。当業者が本発明の技術範囲内に容易に想到しうる変化または置換は、いずれも本発明の保護範囲に入る。よって、本発明の保護範囲は特許請求の範囲に基づく。
【符号の説明】
【００４６】
ＣＬＫ  第１のクロック信号
ＣＬＫＢ  第２のクロック信号
Ｄ１  第１のダイオード
Ｒ１  第１の電気抵抗
Ｒ２  第２の電気抵抗
Ｒ３  第３の電気抵抗
Ｒ４  第４の電気抵抗
Ｒ５  第５の電気抵抗
Ｒ６  第６の電気抵抗
Ｔ１  第１のスイッチングトランジスタ
Ｔ２  第２のスイッチングトランジスタ
Ｕ１  差値信号
【図１】
2016524175.tif 000006
【図２】
2016524175.tif 000007
【図３】
2016524175.tif 000008
【図４】
2016524175.tif 000009
【図５】
2016524175.tif 000010
【図６】
2016524175.tif 000011
【図７】
2016524175.tif 000012
【図８ａ】
2016524175.tif 000013
【図８ｂ】
2016524175.tif 000014
【国際調査報告】
2016524175.tif 000015
2016524175.tif 000016
2016524175.tif 000017
2016524175.tif 000018